(57)【要約】【課題】製品情報が記憶されたＩＣタグを容易に取り除くことが可能なＩＣタグ付蓋体を提供する。【解決手段】天板３と、天板周縁部から降下した筒状側壁５とを有し、天板３の内面には、製品情報が記憶されたＩＣタグ３０を天板３の上面との間に挟持するように摘み部３３を備えたライナー１７が設けられており、摘み部３３を持ってライナー１７の少なくとも一部を天板３の内面から引き剥がすことにより、ＩＣタグ３０が天板内面から取り外されることを特徴とする【選択図】図１
2008081188.tif 000002
【特許請求の範囲】
【請求項１】
天板と、天板周縁部から降下した筒状側壁とを有し、該天板の内面には、製品情報が記憶されたＩＣタグを天板内面との間に挟持するように摘み部を備えたライナーが設けられており、該摘み部を持って該ライナーの少なくとも一部を天板内面から引き剥がすことにより、前記ＩＣタグが天板内面から取り外されることを特徴とするＩＣタグ付蓋体。
【請求項２】
前記ライナーは、外周側の容器口部との密封部と、中央部側のＩＣタグを取り囲むようにしてＩＣタグを保持する保持部とからなり、該密封部と該保持部との間には、弧状或いはリング状に引き裂きスコアが形成されており、前記摘み部は、該スコアにより囲まれた領域に形成されている請求項１に記載のＩＣタグ付蓋体。
【請求項３】
前記ライナーには、部分的に前記摘み部の付け根部分を回り込むようにして延びており且つ該摘み部を倒すことにより破断し得る有端線状の引き裂き誘導スコアが形成されており、少なくとも該引き裂き誘導スコアの一方側の端部は前記引き裂きスコアよりも内側に位置している請求項２記載のＩＣタグ付蓋体。
【請求項４】
前記有端線状の誘導スコアの他方側の端部は、前記引き裂きスコア上に位置している請求項３に記載のＩＣタグ付蓋体。
【請求項５】
前記天板の内面外周部には、容器口部との密封部が該天板と一体に形成され、前記ライナーは、該密封部の内周側に形成されており、該ライナーには、部分的に前記摘み部の付け根部分を回り込むようにして延びており且つ該摘み部を倒すことにより破断し得る形状を有している有端線状の引き裂き誘導スコアが形成されており、少なくとも該引き裂き誘導スコアの一方側の端部はライナーの外周端よりも内側に位置している請求項１記載のＩＣタグ付蓋体。
【請求項６】
前記有端線状の誘導スコアの他方側の端部は、前記ライナーの外周端よりも内方に位置している請求項５に記載のＩＣタグ付蓋体。
【発明の詳細な説明】
【技術分野】
【０００１】
本発明は、製品情報が記憶されたＩＣタグが天板の内面に装着されたＩＣタグ付蓋体に関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ (Radio Frequency Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
【０００４】
このようなＩＣタグが設けられた蓋体として、特許文献１及び２には、天板にＩＣタグが埋め込まれたものが提案されている。
【特許文献１】特開２００６−６２７１６号公報
【特許文献２】特開２００５−３２１９３５号公報
【発明の開示】
【発明が解決しようとする課題】
【０００５】
しかしながら、最近では、資源の再利用の観点から分別廃棄が要求されており、上述したＩＣタグが埋め込まれた蓋体では、使用済みの蓋体からのＩＣタグの取り出しが困難であり、分別廃棄が可能な蓋体が求められる。
【０００６】
従って、本発明の目的は、製品情報が記憶されたＩＣタグを容易に取り除くことが可能なＩＣタグ付蓋体を提供することにある。
【課題を解決するための手段】
【０００７】
本発明によれば、天板と、天板周縁部から降下した筒状側壁とを有し、該天板の内面には、製品情報が記憶されたＩＣタグを天板内面との間に挟持するように摘み部を備えたライナーが設けられており、該摘み部を持って該ライナーの少なくとも一部を天板内面から引き剥がすことにより、前記ＩＣタグが天板内面から取り外されることを特徴とするＩＣタグ付蓋体が提供される。
【０００８】
本発明においては、
（１）前記ライナーは、外周側の容器口部との密封部と、中央部側のＩＣタグを取り囲むようにしてＩＣタグを保持する保持部とからなり、該密封部と該保持部との間には、弧状或いはリング状に引き裂きスコアが形成されており、前記摘み部は、該スコアにより囲まれた領域に形成されていること、
（２）前記ライナーには、部分的に前記摘み部の付け根部分を回り込むようにして延びており且つ該摘み部を倒すことにより破断し得る有端線状の引き裂き誘導スコアが形成されており、少なくとも該引き裂き誘導スコアの一方側の端部は前記引き裂きスコアよりも内側に位置していること
が好適であり、また、
（３）前記有端線状の誘導スコアの他方側の端部は、前記引き裂きスコア上に位置していること、
（４）前記天板の内面外周部には、容器口部との密封部が該天板と一体に形成され、前記ライナーは、該密封部の内周側に形成されており、該ライナーには、部分的に前記摘み部の付け根部分を回り込むようにして延びており且つ該摘み部を倒すことにより破断し得る形状を有している有端線状の引き裂き誘導スコアが形成されており、少なくとも該引き裂き誘導スコアの一方側の端部はライナーの外周端よりも内側に位置していること、
（５）前記有端線状の誘導スコアの他方側の端部は、前記ライナーの外周端よりも内方に位置していること
という態様とすることもできる。
【発明の効果】
【０００９】
本発明のＩＣタグ付蓋体においては、天板の内面にライナーが設けられており、このライナーと天板内面との間にＩＣタグが挟持されているものであり、該ライナーに形成されている摘み部を持ってライナーを引っ張ったり或いは該摘み部を押し倒すことにより、天板の内面からライナーの少なくとも一部を引き剥がすことにより、格別の工具を用いることなく、ＩＣタグを容易に蓋体から取り外すことができる。従って、本発明のＩＣタグ付蓋体は、優れた分別廃棄性を有している。
【発明を実施するための最良の形態】
【００１０】
本発明を、以下、添付図面に示す具体例に基づいて説明する。
図１は、本発明のＩＣタグ付蓋体の代表例であるキャップの側断面図であり、
図２は、図１のキャップの底面図であり、
図３は、本発明のＩＣタグ付蓋体であるキャップの他の好適例を示す側断面図であり、
図４は、図３のキャップの底面図であり、
図５は、本発明のＩＣタグ付蓋体であるキャップのさらに他の好適例を示す側断面図であり、
図６は、図５のキャップの底面図である。
【００１１】
図１及び図２において、全体として１で示すキャップは、天板３と、天板３の周縁部から垂下している筒状側壁（スカート部）５とを有しており、筒状側壁５の下端には、破断可能なブリッジ７を介して開封履歴明示バンド（ＴＥバンド）９が設けられている。
【００１２】
天板３の内面には、筒状側壁５とは小間隔を置いて下方に延びており且つ先端が内方に屈曲しているライナー規制リング１１が形成されている。このライナー規制リング１１は、筒状側壁５の付け根部分から延びているリブ（図示せず）によって補強されている。
【００１３】
筒状側壁５の内面には、螺条１５が形成されており、この螺条１５は、ボトル等の容器の口部（図示せず）の外面に形成されている螺条と係合するものである。即ち、筒状側壁５を閉栓方向に旋回し（即ち、巻き締め）、螺条１５と容器口部外面の螺条とを螺子係合することにより、このキャップは、容器口部に螺子締結される。
【００１４】
また、天板３の内面には、円板形状の合成樹脂製ライナー１７が設けられている。このライナー１７は、外周側に存在する容器口部との密封部２０と、中央部側のタグ保持部２１とからなっている。
【００１５】
上記ライナー１７の密封部２０は、その周縁部に下方に降下した環状外側突部２０ａを有しており、この環状外側突部２０ａの外面がライナー規制リング１１の内面に密着し、保持されている。また、環状外側突部２０ａとは間隔を置いて、下方に突出している内側突部２０ｂが形成されており、螺子締結された容器の口部上端部分が、この環状外側突部２０ａと内側突部２０ｂとにより形成されている凹部２０ｃ内に嵌合固定され、特に環状外側突部２０ａの内面が容器口部の外面に密着することにより、容器がシールされる構造となっている。勿論、このような環状外側突部２０ａや内側突部２０ｂを形成せず、ライナー１７の周縁部を全周にわたって厚肉とし、この厚肉部に容器口部の上端が密着し得る様な凹部を形成させた形状として密封部２０を形成することもできる。
【００１６】
また、ライナー１７の中央部側のタグ保持部２１は、後述するＩＣタグ３０を保持固定する部分である。
【００１７】
上記のキャップ１において、筒状側壁５の上方部分には、適当な間隔でスリット２３が形成されており、キャップ１と容器口部との間を洗浄できるようになっている。
【００１８】
ＴＥバンド９の内面には、それ自体公知の可撓性フィン２５が適当な間隔で複数設けられており、容器口部の外面に形成されている顎部と係止し得るようになっている。即ち、容器口部に巻き締められたキャップ１を開栓したとき、このフィン２５が上記顎部に当接し、ＴＥバンド９の上昇が制限される。一方、筒状側壁５は、そのまま開栓方向に回転して上昇する。従って、容器口部とライナー１７との密着によるシールが解除される前に、筒状側壁５の下端とＴＥバンド９を繋ぐブリッジ７が破断し、ＴＥバンド９は、キャップ１から離脱する。かくして、ＴＥバンド９がキャップ１から離脱していることにより、キャップ１が一度開栓され或いはシール部の破断が生じていたという事実を認識することが可能となるものである。
【００１９】
尚、図１に示されているように、ＴＥバンド９の下端には、その全周にわたって内方カール部２７が形成されており、フィン２５がボトルの顎部に当接したとき、このカール部２７がフィン２５の下部を押えることにより、フィン２５の変形を抑制し、ＴＥバンド９のすっぽ抜けを防止するようになっている。
【００２０】
本発明においては、図１に示されているように、天板３の内面とライナー１７のタグ保持部２１との間にＩＣタグ３０が挟持されている。このＩＣタグ３０は、先にも説明したように、容器内容液等の製品情報（製造年月日、製造・販売者、使用期限など）が多く記録されたＩＣチップと無線アンテナとが樹脂やガラスなどの誘電体材料に埋め込まれたものであり、その形状は、天板３とライナー１７との間での挟持が可能であれば特に制限されないが、通常は、円形であることが好ましい。また、その厚みは、フイルム状ではなく、ある程度形状が保てる厚みであるのが好ましい。
【００２１】
上記のようなＩＣタグ３０は、これを取り囲むようにして形成されているライナー１７のタグ保持部２１によって天板３の内面に保持されている。
【００２２】
ところで、上記のようなＩＣタグ３０は、このキャップ１を廃棄する際に、このキャップ１から取り除いて分別廃棄することが求められる。本発明においては、このために、図２から理解されるように、ライナー１７の密封部２０とタグ保持部２１との境界部分に弧状の引き裂きスコア３１を形成すると同時に、該スコア３１の中心部分（ライナー１７の中心部分）には下方に突出したポール状の摘み部３３が形成されている。即ち、使用済みのキャップ１を容器口部から取り外して廃棄する際には、ライナー１７の摘み部３３を、引き裂きスコア３１が形成されていない側に押し倒すことにより、引き裂きスコア３１が破断し、さらに摘み部３３を引っ張り上げることにより、引き裂きスコア３１で囲まれている部分が天板３の内面から剥離し、これにより、ライナー１７と天板３との間に挟持されているＩＣタグ３０を取り除くことが可能となるわけである。
【００２３】
本発明において、上記の弧状の引き裂きスコア３１は、これが破断したときに、挟持されているＩＣタグ３０が容易に手で引き抜くことができる程度の長さを有していればよい。例えば、上記の例では、引き裂きスコア３１が弧状に形成されているが、これをリング状に形成することも勿論可能である。
【００２４】
また、上記の例では、摘み部３３は、ライナー１７の中心（キャップ１の中心）に形成されているが、この位置を偏心させ、スコア３１に近い位置に摘み部３３を形成することもできる。さらに、摘み部３３の形状をポール状とせず、矩形の板状形状として摘み部３３を押し倒し易くすることもできる。
【００２５】
さらに、本発明においては、上記のような引き裂きスコア３１を形成せず、摘み部３３のみを形成し、摘み部３３を引っ張り上げてライナー１７を天板３の内面から引き剥がす構造とすることも可能である。但し、このような構造とする場合には、ライナー１７の材質としてキャップ１を形成する樹脂に対して接着性の乏しい材料を選択したり、或いはライナー１７中に滑剤を多く配合するなどの手段を採用し、ライナー１７と天板３とを易剥離性とすることが必要である。
【００２６】
また、本発明においては、上述したポール状の摘み部３３を押し倒しての引き裂きスコア３１の破断が容易に行われるように、引き裂き誘導用のスコアを、上記のスコア３１とは別個に設けることもできる。図３及び図４には、このような態様のキャップの側断面図及び底面図がそれぞれ示されている。
【００２７】
図３及び図４において、かかるキャップ１では、前述した引き裂きスコア３１がリング状に形成されていると共に、部分的にポール状の摘み部３３の付け根部を回りこむようにして延びている有端線状の引き裂き誘導スコア３５（特に図４の底面図参照）が設けられている。即ち、図４から明らかなように、この引き裂き誘導スコア３５の一方側の端部３５ａは、リング状の引き裂きスコア３１よりも内方側に位置しており、該端部３５ａを始点として摘み部３３に向かって直線状に延びており、摘み部３３の付け根部の近傍に沿って回り込み、さらに、端部３５ａから摘み部３３への直線部分とほぼ線対称となるように延びており、リング状の引き裂きスコア３１上に位置する他方側の端部３５ｂで終結している。（このような引き裂き誘導スコア３５が形成されている点を除けば、図３及び図４に示すキャップ１は、図１及び図２に示すキャップ１と基本的構造が同じであり、したがって、図３及び図４では、図１及び図２と同じ印照数字を用いている。）
【００２８】
即ち、このような引き裂き誘導スコア３５を設けることにより、摘み部３３を押し倒したとき、このスコア３５が破断し、該スコア３５で囲まれた領域が天板３の内面側から剥離し、この結果、摘み部３３を有している剥離部分を持って引き裂きスコア３１を容易に破断していくことが可能となり、ライナー保持部２１と共にＩＣタグ３０を取り除くことが可能となるわけである。
【００２９】
また、上記の態様においては、一方側の端部３５ａのみを引き裂きスコア３１よりも内側に位置している他方側の端部３５ｂも一方側の端部３５ａと同様に引き裂きスコア３１よりも内側に位置することもできる。このような態様においても、摘み部３３を押し倒し、スコア３５を破断し、該スコア３５で囲まれた領域を天板３の内面側から剥離させ、その後、摘み部３３を有している剥離部分を持って引き上げるとライナー保持部２１と共にＩＣタグ３０を取り除くことが可能となるのである。
【００３０】
また、上述した引き裂き誘導スコア３５の開き角θ（図４参照）は、１５乃至４０度の範囲にあることが好適である。この開き角θが、上記範囲よりも大きいと、摘み部３３を押し倒したときに、引き裂き誘導スコア３５の破断が生じにくくなり、また上記範囲よりも小さいと、引き裂き誘導スコア３５から脱線して破断が生じ、摘み部３３が形成されている領域がすっぽりと抜けてしまうおそれがあるからである。
【００３１】
上述した図１乃至図４の例では、ライナー１７に容器口部との密封部２０が形成されている例を示しているが、本発明は、ライナー１７に密封部を形成せず、キャップ１の天板３に密封部を設けることも可能であり、このような態様のキャップを、図５及び図６に示した。
【００３２】
即ち、図５及び図６に示すキャップ１では、天板３の内面には、筒状側壁とは間隔をおいてインナーリング５０が形成されており、その外側には、インナーリング５０よりも背の低いアウターリング５１が形成されており、インナーリング５０とアウターリング５１との間には、小突起５３が形成されている。即ち、このキャップ１を容器口部に螺子係合により装着するとき、インナーリング５０とアウターリング５１と間の空間内に容器口部の上端部分が上昇していく。この際、アウターリング５１の内面が容器口部上端部分の外面に当接するため、キャップ１のセンタリングが行われ、キャップ１は同心円状にガタツキなく螺子旋回する。これにより、容器口部の上端部分がインナーリング５０とアウターリング５１と間の空間内に深く侵入し、インナーリング５０の外面が容器口部の上端部分の内面と密着して密封部が形成される。また、この際、小突起５３が容器口部の上端面に当接するため、過度の巻き締めが有効に防止される構造となっている。
【００３３】
また、上記のキャップ１では、ＴＥバンド９の内面には、可撓性フィンの代わりに、上向きの突片５５が設けられているが、この突片５５は、キャップ１の開栓１に際して容器顎部の下側に当接してＴＥバンド９の上昇を制限するものであり、図１等の可撓性フィン２５と全く同じ機能を有している。
【００３４】
上記のようなキャップ１においては、天板１の内面に、ライナー５７が設けられるが、このライナー５７は、インナーリング５０の内側に設けられており、インナーリング５０が密封部を形成しているため、このライナー５７には、図１乃至図４のキャップ１のライナー１７に形成されている密封部２０は形成されていない。即ち、このライナー５７は、図１乃至図４のキャップ１のライナー１７にタグ保持部２１と実質的に同じ構造有しているものであり、このタグ保持部２１と同様、ライナー５７と天面３の内面との間には、ＩＣタグ３０がライナー５７によって取り囲まれるようにして挟持されており、また、ライナー５７の中心部分には、ポール状の摘み部３３が形成されている。
【００３５】
この態様のキャップ１においては、ライナー５７には、前述した図３及び図４に示されているキャップ１における引き裂き誘導スコア３５と同じ形状の引き裂きスコア５９が形成されている。即ち、このスコア５９は、部分的にポール状の摘み部３３の付け根部を回りこむようにして延びている有端線状形状を有しており、この引き裂きスコア５９の一方側の端部５９ａは、外周縁よりも内方側に位置しており、該端部５９ａを始点として摘み部３３に向かって直線状に延びており、摘み部３３の付け根部の近傍に沿って回り込み、さらに、端部５９ａから摘み部３３への直線部分とほぼ線対称となるようにライナー５７の外周縁に位置する他方側の端部５９ｂで終結している。
【００３６】
従って、摘み部３３を押し倒したとき、このスコア５９が破断し、該スコア５９で囲まれた領域が天板３の内面側から剥離し、次に、摘み部３３と共に剥離した部分を摘んで引き上げると、ライナー５７と共にＩＣタグ３０を取り除くことが可能となるわけである。
【００３７】
このような引き裂きスコア５９においても、一方側の端部５９ａのみをライナー外周縁よりも内側に位置しているが、他方側の端部５９ｂも一方側の端部５９ａと同様にライナー外周縁よりも内側に位置することもできる。このような態様においても、摘み部３３を押し倒し、スコア５９を破断し、該スコア５９で囲まれた領域を天板３の内面側から剥離させ、その後、摘み部３３を有している剥離部分を持って引き上げるとライナー５７と共にＩＣタグ３０を取り除くことが可能となるのである。また、摘み部３３を押し倒してスコア５９を破断させる際に、破断ラインがスコア５９から脱線せず且つ容易に破断させるために、この開き角θは、前述した範囲にあることが好適である。
【００３８】
上述した図１乃至図６に示す構造の本発明のキャップ１は、各種の熱可塑性樹脂を用いての射出成形等によりキャップ１の本体を成型した後、これに、ＩＣタグ３０を挟持するようにして比較的軟質の樹脂乃至エラストマーからなるライナー１７或いはライナー５７を設けることにより形成される。例えば所定形状に成型されたキャップ本体の天板３の内面にＩＣタグ３０を載置し、この状態で、溶融したライナー材を滴下し、型押ししてライナー１７或いはライナー５７を形成することができる。また、予め所定形状に成型されたライナー１７のスコア３１の外側領域に接着剤を塗布し、ＩＣタグ３０を挟んだ状態で天板３の内面に接着固定することによりライナー１７を設けることもできる。更に、ライナー材１７或いはライナー材５７に用いる樹脂として、酸素吸収剤を含有した樹脂を用いることもできる。
【００３９】
また、本発明においては、図３乃至図６に示されているように、ＩＣタグ３０の中心部分に曲率面を有するＩＣチップ６０を形成しておき、このＩＣチップ６０がライナー１７或いは５７側であって且つ摘み部３３に対応する部分に位置せしめることが好適である。即ち、このように形成することにより、ライナー１７或いは５７を設ける際に、ＩＣチップ６０に過度の負荷が加わることを防止することができ、ライナー形成時のＩＣチップ６０の破損を有効に防止することができる。
【００４０】
上述した本発明においては、ＩＣタグ３０のキャップ１からの取り外しを格別の工具を用いることなく、速やかに行うことができ、優れた分別廃棄性を確保することができる。
【図面の簡単な説明】
【００４１】
【図１】本発明のＩＣタグ付蓋体の代表例であるキャップの側断面図。
【図２】図１のキャップの底面図。
【図３】本発明のＩＣタグ付蓋体であるキャップの他の好適例を示す側断面図。
【図４】図３のキャップの底面図。
【図５】本発明のＩＣタグ付蓋体であるキャップのさらに他の好適例を示す側断面図。
【図６】図５のキャップの底面図。
【符号の説明】
【００４２】
３：天板
５：筒状側壁
１７，５７：ライナー
３０：ＩＣタグ
３１，５９：引き裂きスコア
３３：摘み部
３５：引き裂き誘導スコア
【図１】
2008081188.tif 000003
【図２】
2008081188.tif 000004
【図３】
2008081188.tif 000005
【図４】
2008081188.tif 000006
【図５】
2008081188.tif 000007
【図６】
2008081188.tif 000008